(57)【要約】      （修正有）【課題】携帯性に優れ、光硬化させたい部分に紫外線を効率よく局所的に照射することが可能な携帯用光照射器を提供する。【解決手段】携帯用光照射器１は、電源部と、電源部を収納し、かつ、把持することが可能な略円筒状の把持部１１と、把持部１１に収納され、複数の発光ダイオード素子１５を搭載する略円形状の発光ダイオード基板１４を有する発光部１３とを備え、発光ダイオード素子１５は、発光ダイオード基板１４の周縁に円環状に等間隔で配置されると共に、発光ダイオード基板１４の中央にも配置されており、発光部１３は、電源部からの電力供給により、波長域が３６５ｎｍ〜４１０ｎｍの光を、把持部１１の軸方向に対し略平行な方向に照射する。【選択図】図１
0003225506.tif 000002
【実用新案登録請求の範囲】
【請求項１】
電源部と、
前記電源部を収納し、かつ、把持することが可能な略円筒状の把持部と、
複数の発光ダイオード素子、及び前記複数の発光ダイオード素子を搭載する略円形状の発光ダイオード基板を有しており、前記把持部に収容されている発光部とを備え、
前記発光ダイオード素子は、前記発光ダイオード基板の周縁に円環状に等間隔で配置されると共に、前記発光ダイオード基板の中央にも配置されており、
前記発光部は、前記電源部からの電力供給により、発光ダイオード素子が発する波長域が３６５ｎｍ〜４１０ｎｍの光を、前記把持部の軸方向に対し略平行な方向に照射することを特徴とする携帯用光照射器。
【考案の詳細な説明】
【技術分野】
【０００１】
本考案は、発光ダイオード（ＬＥＤ：Light Emitting Diode）を光源に使用した携帯用光照射器に関し、より詳細には、携帯性に優れ、波長域が３６５ｎｍ〜４１０ｎｍの光を局所的に、かつ簡便に照射することが可能な携帯用光照射器に関する。
【背景技術】
【０００２】
紫外線硬化樹脂、例えばレジンを紫外線で硬化させ、アクセサリー等の小物類を作製することが知られている。例えば、特許文献１には、紫外線でレジンを硬化させるための光照射器が記載されている。この光照射器は、内部の天井面に紫外線ランプを備えている。レジンを紫外線硬化させる際は、硬化対象物であるレジンを光照射器の内部に収納し、紫外線ランプにより紫外線を照射して光硬化させる。
【０００３】
また、特許文献２には、内部に空間を有する本体部と、前記本体部の内部の天井面付近及び内底面付近に設置された紫外線を照射するランプと、前記天井面付近に設置された前記ランプと前記内底面付近に設置された前記ランプの間の空間に設置され、紫外線の透過性が高い、硬化対象物を支持する支持部とを備えた樹脂硬化装置が記載されている。
【０００４】
しかし、これらの特許文献に記載の光照射器は、何れも携帯性に劣る上、レジンを内部に収容して使用するものであるため、光硬化させたい部分に紫外線を効率よく局所的に照射することが困難であるという問題がある。
【先行技術文献】
【特許文献】
【０００５】
【特許文献１】実用新案登録第３２１１２９６号
【特許文献２】実用新案登録第３２１７３７７号
【考案の概要】
【考案が解決しようとする課題】
【０００６】
本考案は、携帯性に優れ、光硬化させたい部分に紫外線を効率よく局所的に照射することが可能な携帯用光照射器の提供を目的とする。
【課題を解決するための手段】
【０００７】
本考案に係る携帯用光照射器は、前記の課題を解決するために、電源部と、前記電源部を収納し、かつ、把持することが可能な略円筒状の把持部と、複数の発光ダイオード素子、及び前記複数の発光ダイオード素子を搭載する略円形状の発光ダイオード基板を有しており、前記把持部に収容されている発光部とを備え、前記発光ダイオード素子は、前記発光ダイオード基板の周縁に円環状に等間隔で配置されると共に、前記発光ダイオード基板の中央にも配置されており、前記発光部は、前記電源部からの電力供給により、発光ダイオード素子が発する波長域が３６５ｎｍ〜４１０ｎｍの光を、前記把持部の軸方向に対し略平行な方向に照射することを特徴とする。
【考案の効果】
【０００８】
本考案の携帯用光照射器は、電源部、略円筒状の把持部、及び発光部を備えている。そして、電源部は把持部の内部に収容されており、かつ、把持可能であるため携帯性に優れる。また、発光部は、複数の発光ダイオード素子、及び前記複数の発光ダイオード素子を搭載する略円形状の発光ダイオード基板を有しており、かつ、把持部の内部に収容されている。そして、発光ダイオード素子は、発光ダイオード基板の周縁に円環状に等間隔で配置されると共に、中央にも配置されている。また、発光部は、電源部からの電力供給により、発光ダイオード素子が発する波長域が３６５ｎｍ〜４１０ｎｍの光を、把持部の軸方向に対し略平行な方向に照射することができる。すなわち、本考案であると、携帯性に優れ、光硬化させたい部分に前記波長域の光を効率よく局所的に照射することが可能な携帯用光照射器を提供することができる。
【図面の簡単な説明】
【０００９】
【図１】本考案の実施の一形態に係る携帯用光照射器を概略的に表す斜視図である。
【図２】前記携帯用光照射器の把持部内に収容される電源部を表す斜視図である。
【考案を実施するための形態】
【００１０】
本実施の形態に係る携帯用光照射器について、図１に基づき以下に説明する。図１は、本実施の形態に係る携帯用光照射器を概略的に表す斜視図である。図２は、前記携帯用光照射器の把持部内に収容される電源部を表す斜視図である。
【００１１】
図１及び図２に示すように、携帯用光照射器（以下、「光照射器」と略称する。）１は、把持部１１と、電源部１２と、発光部１３とを少なくとも備える。
【００１２】
把持部１１はその外形が略円筒状を有しており、本体部１１ａと、本体部１１ａの一方の端部を覆う取り外し可能なキャップ部１１ｂとからなる。把持部１１は、図２に示す電源部１２を収納して内蔵することが可能である。また、把持部１１の他方の端部には、発光部１３が収容されている。本体部１１ａは略円筒状の筐体からなり、その表面に、例えば、凹凸を形成することにより、把持し易く、滑りにくい構造にすることができる。尚、把持部１１の他方の端部は、発光部１３を設けるために開口している。
【００１３】
把持部１１の構成材料は特に限定されず、例えば、合成樹脂製のものを用いることができる。
【００１４】
電源部１２は、図２に示すように、複数の二次電池を収容することが可能な複数の収容部１２ａを備える電池カートリッジである。
【００１５】
発光部１３は発光ダイオード基板（以下、「ＬＥＤ基板」という。）１４と、複数の発光ダイオード素子１５とからなる。発光部１３は、把持部１１において、前記他方の端部（すなわち、キャップ部１１ｂが設けられた端部とは反対側の端部）において、把持部１１内に収容されるように設けられている。
【００１６】
ＬＥＤ基板１４は略円形状の外形を有し、把持部１１の内部に収容可能となっている。ＬＥＤ基板１４は、例えば、ガラスエポキシ基板からなる。ＬＥＤ基板１４の一方の面（外側面）には、複数の発光ダイオード素子１５が所定位置に配列して搭載されている。また、ＬＥＤ基板１４の他方の面（内側面）には、電子部品が実装されている。ＬＥＤ基板１４からは、電源部１２及び図示しないスイッチに電気的に接続するように配線されている。これにより、収容部１２ａに収容されている二次電池からＬＥＤ基板１４に電流が流れるのを可能にし、ＬＥＤ基板１４に搭載されている発光ダイオード素子１５の光照射を可能にしている。
【００１７】
ＬＥＤ基板１４の発光ダイオード素子１５が搭載されている面側には、光反射可能な高反射シートを被覆してもよい。あるいは、高反射用樹脂を塗布してもよい。これにより、光照射量を大きくすることができ、光取り出し効率を向上させることができる。
【００１８】
発光ダイオード素子１５は、ＬＥＤ基板１４の周縁に円環状に等間隔で配置されると共に、ＬＥＤ基板１４の中央にも配置されている。発光ダイオード素子１５をＬＥＤ基板１４の周縁に円環状に等間隔で配置することにより、照射領域の周縁部の照射強度が中央部よりも低下するのを抑制し、面内の均一化を図ることができる。尚、発光ダイオード素子１５の数は特に限定されず、例えば、９灯、１２灯又は２１灯など、照射量等に応じて適宜設定すればよい。また、ＬＥＤ基板１４の中央に配置される発光ダイオード素子１５は１つである場合に限られず、複数であってもよい。
【００１９】
発光ダイオード素子１５は、波長域が３６５ｎｍ〜４１０ｎｍ、より好ましくは４０５ｎｍの光を照射することが可能である。前記波長域の光を照射可能にすることにより、紫外線硬化性樹脂の光硬化を可能にする。
【００２０】
発光ダイオード素子１５の照射量は特に限定されず、用途等に応じて適宜設定することができる。
【００２１】
以上の通り、本実施の形態に係る光照射器１は、従来の光照射器のように、硬化対象物を装置内に入れて光照射を行うものではない。すなわち、本実施の形態の光照射器１は携帯性に優れており、光硬化させたい部分にのみ、波長域が３６５ｎｍ〜４１０ｎｍの光を効率よく局所的に照射することが可能である。その結果、本実施の形態の光照射器１は、例えば、紫外線硬化性樹脂を用いたアクセサリー等の小物類の作製等に好適である。
【００２２】
尚、以上においては、本考案の実施の一形態について説明をしたが、本考案はこの実施の形態に限られるものではない。本考案の要旨を逸脱しない範囲で設計変更が可能なものも本考案に含まれる。
【符号の説明】
【００２３】
１  （携帯用）光照射器
１１  把持部
１１ａ  本体部
１１ｂ  キャップ部
１２  電源部
１２ａ  収容部
１３  発光部
１４  発光ダイオード基板（ＬＥＤ基板）
１５  発光ダイオード素子
【図１】
0003225506.tif 000003
【図２】
0003225506.tif 000004